(57)【要約】【課題】データを簡易な手続きで選択することができる画像処理装置等を提供すること。【解決手段】ＭＦＰは、携帯電話とＮＦＣ通信により通信するＮＦＣタグと、携帯電話と無線ＬＡＮ通信により通信する無線送受信部と、記憶部に記憶されるデータのうち、対象となる少なくとも１つのデータを報知するパネル３９と、を備えている。ＮＦＣ通信は、無線ＬＡＮ通信よりも通信可能距離が小さい通信である。無線ＬＡＮ通信は、ＮＦＣ通信が携帯電話との通信を確立した時点においてパネルによって報知されているデータである対象データを、携帯電話１０へ送信する。【選択図】図４
2013214808.tif 000002
【特許請求の範囲】
【請求項１】
情報処理端末と第１種通信により通信する第１種通信手段と、
情報処理端末と第２種通信により通信する第２種通信手段と、
記憶部に記憶されるデータのうち、対象となる少なくとも１つのデータを報知する報知手段と、
を備え、
前記第１種通信は、前記第２種通信よりも通信可能距離が小さい通信であり、
前記第２種通信手段は、前記第１種通信手段が前記情報処理端末との通信を確立した時点において前記報知手段によって報知されているデータである対象データを、前記情報処理端末へ送信することを特徴とする画像処理装置。
【請求項２】
前記第１種通信手段は、
前記情報処理端末との距離が所定距離以内になることに応じて無線通信である前記第１種通信を確立し、
前記第２種通信手段は、通信設定情報を用いて第２種通信を確立し、
前記第２種通信の通信速度は前記第１種通信の通信速度よりも速いことを特徴とする、請求項１に記載の画像処理装置。
【請求項３】
前記第１種通信手段は、前記通信設定情報を前記第１種通信を用いて前記情報処理端末へ送信することを特徴とする請求項２に記載の画像処理装置。
【請求項４】
前記第１種通信手段は、前記対象データを識別する対象データ識別情報を、前記第１種通信を用いて前記情報処理端末へ送信し、
前記第２種通信手段は、前記第２種通信が確立した後に、前記対象データ識別情報を含む要求を受信したことに応じて、該対象データ識別情報によって特定される前記対象データを、前記第２種通信を用いて前記情報処理端末へ送信することを特徴とする請求項１〜３のいずれか１項に記載の画像処理装置。
【請求項５】
前記報知手段は、前記対象データを特定する特定情報を表示部に表示させる表示制御手段を備えることを特徴とする、請求項１〜４のいずれか１項に記載の画像処理装置。
【請求項６】
前記第１種通信手段または前記第２種通信手段は、前記情報処理端末との通信確立を開始した時点において前記表示制御手段によって前記特定情報が前記表示部に表示されていない場合には、前記記憶手段に記憶されているデータを識別するためのデータ識別情報を前記第１種通信または前記第２種通信により前記情報処理端末へ送信し、
前記第２種通信手段は、前記情報処理端末で選択されたデータを識別するための選択データ識別情報を前記情報処理端末から受信することに応じて、該選択データ識別情報によって識別される選択データを前記情報処理端末へ送信することを特徴とする請求項５に記載の画像処理装置。
【請求項７】
前記画像処理装置は、原稿をスキャンしてスキャンデータを生成するスキャン部を備えており、
前記表示制御手段は、前記スキャン部で生成中の前記スキャンデータについての前記特定情報を、前記表示部に表示させることを特徴とする請求項５に記載の画像処理装置。
【請求項８】
前記画像処理装置は、画像データを第３種通信により外部ネットワークから受信する第３種通信手段を備えており、
前記表示制御手段は、前記第３種通信手段で受信中の前記ファックスデータについての前記特定情報を、前記表示部に表示させることを特徴とする請求項５に記載の画像処理装置。
【請求項９】
前記画像処理装置は、前記記憶部に記憶されている前記データを読み出して印刷媒体に印刷する印刷部を備えており、
前記表示制御手段は、前記印刷部で印刷中の前記データについての前記特定情報を、前記表示部に表示させることを特徴とする請求項１〜５の何れか１項に記載の画像処理装置。
【請求項１０】
画像データの入力処理及び出力処理を実行する画像処理手段と、
情報処理端末と通信する第１種通信手段と、
前記情報処理端末と通信する第２種通信手段と、
を備え、
前記第１種通信手段により前記情報処理端末との通信を確立した時点において、前記画像処理手段により入力又は出力されている画像データを、前記第２種通信手段により前記情報処理端末へ送信することを特徴とする画像処理装置。
【請求項１１】
前記第１種通信手段により前記情報処理端末との通信を確立した時点において、前記画像処理手段により画像データを入力している場合は、前記画像データの入力が完了した後、前記第２種通信手段により該画像データを前記情報処理端末へ送信することを特徴とする請求項１０に記載の画像処理装置。
【請求項１２】
情報処理端末のコンピュータが読み取り可能なプログラムであって、
前記コンピュータを、画像処理装置と通信する第１種通信手段及び第２種通信手段として機能させ、
前記第１種通信手段は、データを識別するデータ識別情報を受信し、
前記第２種通信手段は、受信した前記データ識別情報を含む要求を前記画像処理装置に送信し、前記データ識別情報により識別されるデータを前記画像処理装置から受信することを特徴とするプログラム。
【発明の詳細な説明】
【技術分野】
【０００１】
本明細書に開示の技術は、データを簡易な手続きで選択することができる画像処理装置および情報処理端末のプログラムに関する。
【背景技術】
【０００２】
情報処理端末（携帯電話、ノートパソコン等）と画像処理装置（プリンタ等）との間で無線通信（ＮＦＣ（Near Field Communication）、無線ＬＡＮ等）を確立し、データを通信する技術が知られている。なお、関連する文献として、特許文献１が知られている。
【先行技術文献】
【特許文献】
【０００３】
【特許文献１】特開２００２−２４４８３１号公報
【発明の概要】
【発明が解決しようとする課題】
【０００４】
従来の技術では、通信対象のデータの選択を受け付ける場合に、データの識別情報（ファイル名など）を画像処理装置等の表示部へ一覧表示し、使用者に通信対象のデータを選択させていた。このため、データの選択を行う際に各種の操作が必要となるため、使用者にとって、必ずしも便利とは言えなかった。本明細書では、このような不便性を解消することができる技術を提供する。
【課題を解決するための手段】
【０００５】
本明細書に開示の記載の画像処理装置は、情報処理端末と第１種通信により通信する第１種通信手段と、情報処理端末と第２種通信により通信する第２種通信手段と、記憶部に記憶されるデータのうち、対象となる少なくとも１つのデータを報知する報知手段と、を備え、第１種通信は、第２種通信よりも通信可能距離が小さい通信であり、第２種通信手段は、第１種通信手段が情報処理端末との通信を確立した時点において報知手段によって報知されているデータである対象データを、情報処理端末へ送信することを特徴とする。
【０００６】
第１種通信の通信可能距離は第２種通信の通信可能距離よりも小さい。これにより、画像処理装置が複数存在する場合にも、所定距離内に情報処理端末を近接させることで、近接させた画像処理装置を通信対象の画像処理装置として選択することができる。すなわち、第１種通信を用いて、通信対象を特定することが可能となる。そして、情報処理端末との通信確立を開始した時点において報知手段によって報知されている対象データを、情報処理端末への送信対象として選択できる。データの選択を行う際に各種の操作を不要とすることができ、直感的な操作を可能とすることができる。よって、ユーザの利便性を高めることができる。
【０００７】
また、請求項２に記載の画像処理装置では、第２種通信の通信速度は第１種通信の通信速度よりも速い。これにより、第２種通信を用いて、データの通信を高速化することが可能となる。よって、通信時間を短縮化することが可能となる。
【０００８】
また、請求項３に記載の画像処理装置では、通信設定情報を、第１種通信を用いて情報処理端末へ送信することができる。よって、第２種通信を確立することが可能となる。
【０００９】
また、請求項４に記載の画像処理装置では、対象データを識別する対象データ識別情報を用いて、対象データの通信を開始するための通信開始処理を実行することができる。これにより、対象データ自体を用いて通信開始処理を行う場合に比して、データ通信量を圧縮することができるため、通信開始処理の処理負担を軽減することが可能となる。
【００１０】
また、請求項５に記載の画像処理装置では、表示部に表示されている特定情報に関するデータを、通信対象のデータとして選択することができる。これにより、目視によりデータの選択を行うことができるため、直感的な操作を可能とすることができる。
【００１１】
また、請求項６に記載の画像処理装置では、特定情報が表示部に表示されていない場合には、通信対象のデータの選択を受け付けることが可能となる。
【００１２】
また、請求項７に記載の画像処理装置では、情報処理端末との通信確立を開始した時点においてスキャン部で生成中のスキャンデータを、情報処理端末への送信対象として選択できる。よって、データの選択を行う際に各種の操作を不要とすることができ、直感的な操作を可能とすることができる。
【００１３】
また、請求項８に記載の画像処理装置では、情報処理端末との通信確立を開始した時点においてファックス部で受信中のファックスデータを、情報処理端末への送信対象として選択できる。よって、データの選択を行う際に各種の操作を不要とすることができ、直感的な操作を可能とすることができる。
【００１４】
また、請求項９に記載の画像処理装置では、情報処理端末との通信確立を開始した時点において印刷部で印刷中のデータを、情報処理端末への送信対象として選択できる。よって、データの選択を行う際に各種の操作を不要とすることができ、直感的な操作を可能とすることができる。
【００１５】
なお、上記の技術を実現するためのコンピュータプログラム、及び、システムも、新規で有用である。
【図面の簡単な説明】
【００１６】
【図１】通信システムのブロック図である。
【図２】ＭＦＰの画像処理を説明するフローチャートである。
【図３】ＭＦＰのＮＦＣ通信処理を説明するフローチャートである。
【図４】画像データ送信処理を説明するフローチャートである。
【図５】通信設定情報を更新する処理を説明するフローチャートである。
【図６】携帯電話で行われる処理を説明するフローチャートである。
【発明を実施するための形態】
【００１７】
＜通信システム１の構成＞
図１に、本実施形態として例示される通信システム１のブロック図を示す。通信システム１は、携帯電話１０、ＭＦＰ（Multifunction Peripheral）５１、アクセスポイント６２、基地局６１を備える。携帯電話１０およびＭＦＰ５１は、既知の無線ＬＡＮ端末装置としての機能を備える。またＭＦＰ５１は、電話回線網１００を使用した通信機能を備える。アクセスポイント６２は、既知の無線ＬＡＮアクセスポイントとしての機能を備える。
【００１８】
ＭＦＰ５１は、複数の機能を備える多機能周辺装置である。複数の機能の例としては、ファックス送信機能、受信ファックス閲覧機能、スキャン機能、印刷機能、などが挙げられる。ファックス送信機能は、電話回線網１００を介して不図示の外部の装置へ画像データを送信する機能である。受信ファックス閲覧機能は、電話回線網１００を介して不図示の外部の装置から画像データを受信し、受信した画像データを出力する機能である。スキャン機能は、スキャナ２０を用いて原稿をスキャンし、画像データを生成する機能である。印刷機能は、プリンタ１９を用いて画像データを印刷用紙に印刷する機能である。
【００１９】
＜携帯電話１０の構成＞
携帯電話１０の構成について説明する。図１に示すように、携帯電話１０は、制御部６、無線送受信部１５、無線アンテナ部１６、ボタン入力部１７、パネル１８、携帯電話送受信部２２、携帯電話アンテナ部２３、ＮＦＣ（Near Field Communication）リーダ３０、を主に備えている。また、通話や音声入力を行うために、スピーカ３とマイク４とを備えている。これらの構成要素は、入出力ポート７を介して互いに通信可能とされている。
【００２０】
制御部６は、ＣＰＵ（Central Processing Unit）１１および記憶部１２を備えている。ＣＰＵ１１は、記憶部１２に記憶されるプログラムを実行する。記憶部１２は、ＲＡＭ（Random Access Memory）、ＲＯＭ（Read Only Memory）、フラッシュメモリ、ＨＤＤ（ハードディスク）、ＣＰＵ１１が備えるバッファなどが組み合わされて構成されている。記憶部１２は、プログラム２１を記憶する。プログラム２１は、ＭＦＰ制御アプリケーション２８、ＯＳ（Operating System）２９等を含んでいる。ＯＳ２９は、携帯電話送受信部２２に通信を実行させるためのプログラムや、無線送受信部１５に無線ＬＡＮ通信２０１を実行させるためのプログラム等を含む。またＯＳ２９は、ＮＦＣリーダ３０などの各種のハードウェアが取得した情報を各プログラムが取得するための、もしくは、各プログラムが各種ハードウェアに指示をするためのＡＰＩ（Application Programming Interface）を提供するプログラムでもある。またＭＦＰ制御アプリケーション２８は、後述するＭＦＰ５１との通信処理をＣＰＵ１１に実行させるためのプログラムである。
【００２１】
無線送受信部１５は、無線アンテナ部１６を介して、無線ＬＡＮ方式（電波を用いたデータ通信方式）のインフラストラクチャーモード（複数の無線ＬＡＮ端末装置が、アクセスポイントを介してデータ通信するモード）に準拠する無線ＬＡＮ通信２０１を行う。そして、無線送受信部１５により、各種のデータを構成するデジタル信号が送受信される。なお、無線ＬＡＮ方式の例としては、例えばＩＥＥＥ８０２．１１ａ／ｂ／ｇ／ｎの規格で定められる通信方式が挙げられる。ＮＦＣリーダ３０は、ＮＦＣタグ４６との間でＮＦＣ通信２００を行う。ＮＦＣ通信２００は、近接場型の無線通信であり、通信エリアがおよそ１メートル以内の極短距離である通信である。ＮＦＣ通信の種類には、赤外線通信や、ブルートゥース（登録商標）が含まれる。ＮＦＣ通信２００を確立するためには、通信設定のための各種の情報（ＩＰアドレス、ＳＳＩＤなど）は不要である。また、携帯電話送受信部２２は、携帯電話アンテナ部２３を介して、基地局６１との間で携帯電話通信の方式に準拠する無線通信２１０を行う。
【００２２】
ボタン入力部１７は、携帯電話１０の使用者による操作を受け付ける操作手段である。ボタン入力部１７は、タッチパネルとして、パネル１８と一体に構成されている。パネル１８は、携帯電話１０の各種機能情報を表示する。
【００２３】
＜ＭＦＰ５１の構成＞
ＭＦＰ５１の構成について説明する。ＭＦＰ５１は、プリンタ１９、スキャナ２０、ＣＰＵ３２、記憶部３３、無線送受信部３６、無線アンテナ部３７、ボタン入力部３８、パネル３９、モデム４０、電話回線接続部４１、ＮＦＣタグ４６、表示灯４５、を主に備えている。これらの構成要素は、入出力ポート４３を介して互いに通信可能とされている。
【００２４】
ＮＦＣタグ４６は、ＮＦＣリーダ３０との間でＮＦＣ通信２００を行う。ＮＦＣタグ４６は、タグ記憶部４７を備える。タグ記憶部４７は、不揮発性の記憶部である。タグ記憶部４７は、ＮＦＣタグ４６からＮＦＣリーダ３０へ送信するデータを記憶しておくための記憶部である。タグ記憶部４７には、選択機能情報、通信設定情報が記憶されている。選択機能情報は、ＭＦＰ５１が有する複数の機能（ファックス送信機能、受信ファックス閲覧機能、スキャン機能、印刷機能）のうち、何れの機能が選択されているかを表す情報である。なお、ここでいう「選択」は必ずしもユーザにより選択されたことを意味しない。通信設定情報は、携帯電話１０が第１ＭＦＰ５１の無線送受信部３６と無線ＬＡＮ通信２０３を確立するための、各種の設定を含んでいる。通信設定情報に含まれている設定の一例としては、アクセスポイント情報、ＭＦＰ−ＩＰアドレス、などが挙げられる。アクセスポイント情報の一例としては、アクセスポイント６２のＳＳＩＤが挙げられる。ＭＦＰ−ＩＰアドレスの一例としては、ＭＦＰ５１のＩＰアドレスが挙げられる。
【００２５】
ＣＰＵ３２は、記憶部３３に記憶されているプログラムを実行する。なお、記憶部３３は、ＲＡＭ（Random Access Memory）、ＲＯＭ（Read Only Memory）、フラッシュメモリ、ＨＤＤ（ハードディスク）などが組み合わされて構成されているとしてもよい。記憶部３３は、画像データ、データリストを記憶する。画像データは、スキャナ２０によるスキャン処理やモデム４０によるファックス受信処理などの各種の処理によって取得され、記憶部３３に記憶されたデータである。データリストは、記憶部３３に記憶されている画像データの各々を識別するためのデータ識別情報のリスト（一覧）である。データ識別情報の一例としては、画像データのファイル名が挙げられる。データリストは、機能ごとに対応付けて作成されている。例えば、印刷機能に対応付けられて作成されているデータリストには、記憶部３３に記憶されている全画像データのうち、プリンタ１９で印刷可能な画像データが抽出されて収容されている。
【００２６】
無線送受信部３６は、無線アンテナ部３７を介してアクセスポイント６２との間で無線ＬＡＮ通信２０３を行うことにより、各種のデータを構成するデジタル信号を送受信する。無線ＬＡＮ通信２０３は、ＮＦＣ通信２００よりも通信可能距離が大きい通信である。また、無線ＬＡＮ通信２０３の通信速度は、ＮＦＣ通信２００の通信速度よりも高速である。
【００２７】
ボタン入力部３８は、ＭＦＰ５１の各機能を実行するためのキーである。ボタン入力部３８は、タッチパネルとして、パネル３９と一体に構成されていてもよい。パネル３９は、ＭＦＰ５１の各種機能情報を表示する。プリンタ１９は、印刷用紙に印刷を実行する部位である。スキャナ２０は、紙の原稿をスキャンして、画像データを生成する部位である。モデム４０は、ファクシミリ機能によって送信する原稿データを、電話回線網１００に伝送可能な信号に変調して電話回線接続部４１を介して送信したり、電話回線網１００から電話回線接続部４１を介して入力された信号を受信し、原稿データへ復調するものである。表示灯４５は、ＬＥＤ（Light Emitting Diode）等を備えており、ＭＦＰ５１の各種ステータスを使用者に報知するための部位である。
【００２８】
携帯電話１０とアクセスポイント６２とは、無線ＬＡＮ方式のインフラストラクチャーモードに準拠する無線ＬＡＮ通信２０１を行うことが可能とされている。また、ＭＦＰ５１とアクセスポイント６２とは、無線ＬＡＮ方式のインフラストラクチャーモードに準拠する無線ＬＡＮ通信２０３を行うことが可能とされている。よって、携帯電話１０およびＭＦＰ５１の各々がアクセスポイント６２へアクセスし、無線ＬＡＮのインフラストラクチャーモードに準拠する無線ＬＡＮ通信２０１および２０３の各々を行える状態になることで、携帯電話１０とＭＦＰ５１との間でデータ通信をすることが可能になる。
【００２９】
また、携帯電話１０とＭＦＰ５１とは、ＮＦＣ通信２００を行うことが可能とされている。よって、携帯電話１０をＭＦＰ５１に近接させる（例：かざす）ことにより、ＮＦＣ通信２００を行える状態になることで、携帯電話１０とＭＦＰ５１との間で各種の情報を通信することが可能になる。
【００３０】
＜通信システムの動作＞
第１実施形態に係る通信システム１の動作を、図２ないし図６を用いて説明する。図２〜図５は、ＭＦＰ５１で行われる処理を説明するフローである。図２は、画像処理を説明するフローである。図３は、ＮＦＣ通信処理を説明するフローである。図４は、携帯電話への画像データ送信処理を説明するフローである。図５は、通信設定情報を更新する処理を説明するフローである。図３〜図５の処理は、図２の処理に割込んで実行される処理である。すなわち、図３〜図５の処理は、図２の処理のいずれのステップを実行しているときに開始されてもよい。図６は、携帯電話１０で行われる処理を説明するフローである。
【００３１】
＜ＭＦＰの動作＞
図２を用いて、ＭＦＰ５１で行われる画像処理を説明する。Ｓ７８において、ＣＰＵ３２は、複数の機能（ファックス送信機能、受信ファックス閲覧機能、スキャン機能、印刷機能）のうちの何れかの機能が、利用者よって選択されたか否かを判断する。例えば、パネル３９内に複数の機能の各々を示すアイコンが複数表示されており、何れかのアイコンが利用者にタッチされることで、タッチされたアイコンに対応する機能が選択されるとしてもよい。何れの機能も選択されていない場合（Ｓ７８：ＮＯ）にはＳ８０へ進む。Ｓ８０においてＣＰＵ３２は、モデム４０が原稿データを電話回線網１００から受信したか否かを判断する。受信していない場合（Ｓ８０：ＮＯ）にはＳ７８へ戻る。一方、受信した場合（Ｓ８０：ＹＥＳ）にはＳ８１へ進み、ＣＰＵ３２は、受信ファックス閲覧機能が選択されていることを表す選択機能情報を、ＮＦＣタグ４６のタグ記憶部４７に記憶させる。そしてＳ１０１へ進み、受信ファックス閲覧機能の処理が開始される。
【００３２】
Ｓ７８において何れかの機能が選択された場合（Ｓ７８：ＹＥＳ）には、Ｓ８２へ進み、ＣＰＵ３２は、選択された機能に対応する選択機能情報を、ＮＦＣタグ４６のタグ記憶部４７に記憶させる。Ｓ８４においてＣＰＵ３２は、利用者によって選択された機能を実行するための操作画面を、パネル３９に表示する。
【００３３】
Ｓ９４において、ＣＰＵ３２は、記憶部３３に記憶されているいずれかの画像データが、処理対象のデータ（処理データ）として選択されたか否かを判断する。処理データの選択は、例えば、記憶部３３に記憶されている画像データ名の一覧がパネル３９に表示され、何れかの画像データ名を利用者がタッチすることで行われてもよい。記憶されている画像データの何れも選択されない場合（Ｓ９４：ＮＯ）には、記憶部３３に記憶されていない画像データを処理データとして用いる場合であると判断され、Ｓ１００へ進む。記憶部３３に記憶されていない画像データを処理データとして用いる場合の例としては、紙の原稿をスキャンして画像データを生成する場合や、紙の原稿を読み込んでファックス送信する場合が挙げられる。
【００３４】
一方、処理データが選択された場合（Ｓ９４：ＹＥＳ）には、記憶部３３に記憶されている画像データを処理データとして用いる場合であると判断され、Ｓ９６へ進む。記憶部３３に記憶されている画像データを処理データとして用いる場合の例としては、記憶されている画像データをファックス送信する場合や、記憶されている画像データを印刷する場合が挙げられる。
【００３５】
Ｓ９６においてＣＰＵ３２は、処理データを特定する特定情報（例：処理データのアイコン、ファイル名、サムネイル（画像を縮小した見本））を、パネル３９に表示させる。ここで、特定情報がパネル３９に表示されているデータを、「対象データ」と定義する。換言すると、対象データは、パネル３９に表示されている特定情報に対応するデータである。またＣＰＵ３２は、何れのデータの特定情報がパネル３９に表示されているかを携帯電話１０へ報知することができるように、対象データを識別する情報（対象データ識別情報）を、タグ記憶部４７へ記憶させる。対象データ識別情報の一例としては、対象データのファイル名が挙げられる。
【００３６】
Ｓ１００において、ＣＰＵ３２は、画像処理の実行命令が入力されたか否かを判断する。画像処理の実行命令は、例えばボタン入力部３８を介して入力されてもよい。画像処理の実行命令が入力されていない場合（Ｓ１００：ＮＯ）にはＳ９４へ戻り、入力された場合（Ｓ１００：ＹＥＳ）にはＳ１０１へ進む。Ｓ１０１においてＣＰＵ３２は、Ｓ７８で選択された機能に対応する画像処理を開始する。またＣＰＵ３２は、処理中のデータに関する特定情報を、パネル３９に表示する。この場合、処理中のデータが「対象データ」に該当する。例えば、Ｓ７８でファックス送信機能が選択されている場合には、モデム４０を用いてデータを送信する処理が開始されるとともに、送信中のデータの特定情報がパネル３９に表示される。また例えば、Ｓ７８でスキャン機能が選択されている場合には、スキャナ２０で原稿をスキャンして画像データを生成する処理が開始されるとともに、生成された画像データの特定情報がパネル３９に表示される。また例えば、データを電話回線網１００から受信した場合（Ｓ８０：ＹＥＳ）には、モデム４０を用いてデータを受信する処理が開始されるとともに、受信中のデータの特定情報がパネル３９に表示される。
【００３７】
Ｓ１０４においてＣＰＵ３２は、処理中のデータ（対象データ）を携帯電話１０へ報知することができるように、対象データを識別する情報（対象データ識別情報）を、タグ記憶部４７へ記憶させる。
【００３８】
Ｓ１０６において、ＣＰＵ３２は、画像処理が完了したか否かを判断する。完了していない場合（Ｓ１０６：ＮＯ）にはＳ１０６へ戻り、完了した場合（Ｓ１０６：ＹＥＳ）にはＳ１０８へ進む。Ｓ１０８においてＣＰＵ３２は、タグ記憶部４７へ記憶させていた対象データ識別情報（Ｓ９６、Ｓ１０４）および選択機能情報（Ｓ８２）を消去する。そしてＳ７８へ戻る。
【００３９】
図３を用いて、ＭＦＰ５１で行われるＮＦＣ通信処理を説明する。Ｓ１１０においてＣＰＵ３２は、携帯電話１０に備えられているＮＦＣリーダ３０が、ＮＦＣタグ４６を中心とする所定距離内に近接したか否かを判断する。所定距離は、例えば１０ｃｍ程度であってもよい。所定距離内に近接していない場合（Ｓ１１０：ＮＯ）にはＳ１１０へ戻り、近接した場合（Ｓ１１０：ＹＥＳ）にはＳ１１１へ進む。Ｓ１１１においてＣＰＵ３２は、ＮＦＣタグ４６とＮＦＣリーダ３０との間でＮＦＣ通信２００を確立させる。
【００４０】
Ｓ１１２においてＣＰＵ３２は、タグ記憶部４７に記憶されている情報を、ＮＦＣタグ４６からＮＦＣリーダ３０へ、ＮＦＣ通信２００を介して送信させる。そしてＳ１１０へ戻る。このとき、ＮＦＣリーダ３０がＮＦＣタグ４６の所定距離内に近接したことが検出された時点（Ｓ１１０：ＹＥＳ）が、特定情報がパネル３９に表示されている期間中（Ｓ９６〜Ｓ１０６の期間中）である場合には、対象データ識別情報、通信設定情報、選択機能情報がタグ記憶部４７に記憶されている。よって、対象データ識別情報、通信設定情報、選択機能情報が、ＮＦＣタグ４６からＮＦＣリーダ３０へ送信される。これにより、ＮＦＣ通信２００を確立した時点においてパネル３９に表示されている特定情報（アイコン等）に対応するデータ（対象データ）を、携帯電話１０へ送信するデータとして決定することができる。一方、ＮＦＣリーダ３０がＮＦＣタグ４６の所定距離内に近接したことが検出された時点（Ｓ１１０：ＹＥＳ）が、特定情報がパネル３９に表示されていない期間（Ｓ９６〜Ｓ１０６の期間外）である場合には、通信設定情報および選択機能情報はタグ記憶部４７に記憶されているが、対象データ識別情報はタグ記憶部４７に記憶されていない。よって、通信設定情報および選択機能情報が、ＮＦＣタグ４６からＮＦＣリーダ３０へ送信される。この場合、携帯電話１０へ送信するデータは決まっていない状態となる。
【００４１】
図４を用いて、携帯電話１０への画像データ送信処理を説明する。Ｓ１１４において、ＣＰＵ３２は、無線ＬＡＮ通信の接続要求を受信したか否かを判断する。受信していない場合（Ｓ１１４：ＮＯ）にはＳ１１４へ戻り、受信した場合（Ｓ１１４：ＹＥＳ）にはＳ１１５へ進む。Ｓ１１５において、ＣＰＵ３２は、タグ記憶部４７に記憶されている通信設定情報を用いて、無線送受信部３６に、無線ＬＡＮ通信２０３を確立させる。
【００４２】
Ｓ１１６においてＣＰＵ３２は、対象データ送信要求を、携帯電話１０から受信したか否かを判断する。対象データ送信要求は、対象データ識別情報によって識別される対象データを、無線ＬＡＮ通信２０１および２０３を用いて携帯電話１０へ送信する旨の要求である。対象データ送信要求を受信した場合（Ｓ１１６：ＹＥＳ）には、ＮＦＣリーダ３０がＮＦＣタグ４６の所定距離内に近接したことが検出された時点（Ｓ１１０：ＹＥＳ）において、特定情報がパネル３９に表示されている場合であると判断され、Ｓ１２４へ進む。一方、対象データ送信要求を受信していない場合（Ｓ１１６：ＮＯ）には、ＮＦＣリーダ３０がＮＦＣタグ４６の所定距離内に近接したことが検出された時点（Ｓ１１０：ＹＥＳ）において、特定情報がパネル３９に表示されていない場合であると判断され、Ｓ１１８へ進む。
【００４３】
Ｓ１１８においてＣＰＵ３２は、データリスト送信要求を携帯電話１０から受信したか否かを判断する。データリスト送信要求は、ＭＦＰ５１で現在選択されている機能に対応するデータリストを、無線ＬＡＮ通信２０３を用いて携帯電話１０へ送信する旨の要求である。データリスト送信要求を受信していない場合（Ｓ１１８：ＮＯ）には、Ｓ１２０へ進み、その他の一般的な処理が実行された上で、Ｓ１１４へ戻る。一方、データリスト送信要求が受信された場合（１１８：ＹＥＳ）には、Ｓ１２２へ進む。
【００４４】
Ｓ１２２においてＣＰＵ３２は、ＭＦＰ５１で現在選択されている機能に対応するデータリストを記憶部３３から読み出して、携帯電話１０へ送信する。Ｓ１２３においてＣＰＵ３２は、選択データ識別情報を含んだ選択データ送信要求を、携帯電話１０から受信したか否かを判断する。選択データ識別情報は、携帯電話１０側で選択された画像データ（選択データ）を識別するための情報である。選択データ送信要求を受信していない場合（Ｓ１２３：ＮＯ）にはＳ１２３へ戻り、受信した場合（Ｓ１２３：ＹＥＳ）にはＳ１２４へ進む。
【００４５】
Ｓ１２４において、ＣＰＵ３２は、対象データ送信要求に含まれている対象データ識別情報により識別される対象データ、または、選択データ送信要求に含まれている選択データ識別情報により識別される選択データを、無線ＬＡＮ通信２０１および２０３を介して携帯電話１０へ送信する。そしてＳ１１４へ戻る。
【００４６】
図５を用いて、タグ記憶部４７に記憶されている通信設定情報を更新する処理を説明する。Ｓ１３０においてＣＰＵ３２は、ネットワーク設定画面を表示させる命令が入力されたか否かを判断する。ネットワーク設定画面は、タグ記憶部４７に記憶されている通信設定情報に含まれている、各種の設定値を設定するための画面である。ネットワーク設定画面を表示させる命令は、例えばボタン入力部３８を介して入力されてもよい。
【００４７】
Ｓ１３２においてＣＰＵ３２は、通信設定情報に含まれている設定値の１つである、アクセスポイント情報が変更されたか否かを判断する。変更されていない場合（Ｓ１３２：ＮＯ）にはＳ１４２へ進み、変更された場合（Ｓ１３２：ＹＥＳ）にはＳ１３４へ進む。Ｓ１３４においてＣＰＵ３２は、変更後のアクセスポイント情報を、タグ記憶部４７に上書き記憶する。
【００４８】
Ｓ１４２においてＣＰＵ３２は、通信設定情報に含まれている設定値の１つである、ＭＦＰ−ＩＰアドレスが変更されたか否かを判断する。変更されていない場合（Ｓ１４２：ＮＯ）にはＳ１３０へ戻り、変更された場合（Ｓ１４２：ＹＥＳ）にはＳ１４４へ進む。Ｓ１４４においてＣＰＵ３２は、変更後のＭＦＰ−ＩＰアドレスを、タグ記憶部４７に上書き記憶する。そしてＳ１３０へ戻る。
【００４９】
＜携帯電話の動作＞
図６を用いて、携帯電話１０で行われる処理を説明する。図６のフローは、ＭＦＰ制御アプリケーション２８が起動されることに応じて開始される。Ｓ２１２においてＣＰＵ１１は、ＭＦＰ５１に備えられているＮＦＣタグ４６が、ＮＦＣリーダ３０の所定距離内に近接したか否かを判断する。近接していない場合（Ｓ２１２：ＮＯ）にはＳ２１２へ戻り、近接した場合（Ｓ２１２：ＹＥＳ）にはＳ２１４へ進む。
【００５０】
Ｓ２１４において、ＣＰＵ１１は、ＮＦＣタグ４６からＮＦＣ通信２００を介して送信されてきた情報を、ＮＦＣリーダ３０に受信させる。特定情報がＭＦＰ５１のパネル３９に表示されている期間中に、ＮＦＣリーダ３０がＮＦＣタグ４６の所定距離内に近接した場合には、ＮＦＣタグ４６から送信されてくる情報には、対象データ識別情報、通信設定情報、選択機能情報、が含まれている。特定情報がＭＦＰ５１のパネル３９に表示されていない期間中に、ＮＦＣリーダ３０がＮＦＣタグ４６の所定距離内に近接した場合には、ＮＦＣタグ４６から送信されてくる情報には、通信設定情報および選択機能情報が含まれているが、対象データ識別情報は含まれていない。
【００５１】
Ｓ２１５においてＣＰＵ１１は、ＮＦＣタグ４６から送信されてきた情報に、選択機能情報が含まれているか否かを判断する。含まれていない場合（Ｓ２１５：ＮＯ）には、複数の機能のうちの何れかの機能が利用者よって選択されていない場合（Ｓ７８：ＮＯ）や、ＭＦＰ５１がファックスデータを受信していない場合（Ｓ８０：ＮＯ）に、ＮＦＣタグ４６がＮＦＣリーダ３０の所定距離内に近接し、ＮＦＣ通信２００が実行された場合であると判断され、Ｓ２１２へ戻る。一方、ＮＦＣタグ４６から送信されてきた情報に、選択機能情報が含まれている場合（Ｓ２１５：ＹＥＳ）には、Ｓ２１６へ進む。
【００５２】
Ｓ２１６においてＣＰＵ１１は、無線送受信部１５に、アクセスポイント６２への無線接続を実行させる。Ｓ２１８において、ＣＰＵ１１は、無線ＬＡＮ通信２０１および２０３を用いて、ＭＦＰ５１との通信を確立する。Ｓ２８２においてＣＰＵ１１は、ＭＦＰ５１からＮＦＣ通信２００を介して受信したデータに、対象データ識別情報が含まれているか否かを判断する。対象データ識別情報が含まれている場合（Ｓ２８２：ＹＥＳ）には、特定情報がＭＦＰ５１のパネル３９に表示されている期間中に携帯電話１０がＭＦＰ５１にかざされた場合であり、携帯電話１０へ送信するデータが決定されている場合であると判断され、Ｓ２９０へ進む。一方、対象データ識別情報が含まれていない場合（Ｓ２８２：ＮＯ）には、特定情報がＭＦＰ５１のパネル３９に表示されていない期間中に携帯電話１０がＭＦＰ５１にかざされた場合であり、携帯電話１０へ送信するデータが決定されていない場合であると判断され、Ｓ２８４へ進む。
【００５３】
Ｓ２８４においてＣＰＵ１１は、データリスト送信要求を、無線ＬＡＮ通信２０１および２０３を介してＭＦＰ５１へ送信する。このとき、Ｓ２１４で受信した選択機能情報によって特定される機能（ＭＦＰ５１で現在選択されている機能）に対応するデータリストが要求される。Ｓ２８６においてＣＰＵ１１は、データリストを、ＭＦＰ５１から無線ＬＡＮ通信２０１および２０３を介して受信したか否かを判断する。受信していない場合（Ｓ２８６：ＮＯ）にはＳ２８６へ戻り、受信した場合（Ｓ２８６：ＹＥＳ）にはＳ２８８へ進む。
【００５４】
Ｓ２８８において、ＣＰＵ１１は、携帯電話１０のパネル１８上にデータリストを表示する。これにより、ＭＦＰ５１で現在選択されている機能で処理することが可能なデータの一覧を、ユーザに提示することができる。そしてＣＰＵ１１は、データリスト中からの画像データの選択入力を受け付ける。画像データの選択入力は、例えばボタン入力部１７を介して行われてもよい。Ｓ２８９においてＣＰＵ１１は、画像データの選択入力が行われたか否かを判断する。入力が実行されていない場合（Ｓ２８９：ＮＯ）にはＳ２８９へ戻り、入力が実行された場合（Ｓ２８９：ＹＥＳ）にはＳ２９０へ進む。Ｓ２９０においてＣＰＵ１１は、Ｓ２８９で選択された選択データを識別する選択データ識別情報を含む選択データ送信要求を、無線ＬＡＮ通信２０１および２０３を介してＭＦＰ５１に送信する。
【００５５】
Ｓ２９２においてＣＰＵ１１は、ＭＦＰ５１から、対象データまたは選択データを無線ＬＡＮ通信２０１および２０３を介して受信したか否かを判断する。受信していない場合（Ｓ２９２：ＮＯ）にはＳ２９２へ戻り、受信した場合（Ｓ２９２：ＹＥＳ）にはＳ２９４へ進む。Ｓ２９４において、ＣＰＵ１１は、受信したデータを記憶部１２に記憶させる。そしてフローを終了する。
【００５６】
＜効果＞
以上説明した、本実施形態の説明例に係る通信システム１の効果を説明する。対象データの特定情報（アイコンなど）がＭＦＰ５１のパネル３９に表示されている期間中（Ｓ９６〜Ｓ１０６の処理期間中）に、ＮＦＣリーダ３０を備える携帯電話１０をＮＦＣタグ４６を中心とする所定距離（例：１０ｃｍ）内に近接させることによって（Ｓ１１０：Ｙ、Ｓ２１２：Ｙ）、パネル３９に表示されている特定情報に対応する対象データを、携帯電話１０へ送信するデータとして決定することができる。これにより、携帯電話１０へ送信するデータを選択するために、ボタン入力部１７や３８などに各種の操作を入力する手間を不要とすることができる。よって、直感的な操作を可能とすることができるため、ユーザの利便性を高めることができる。
【００５７】
ＮＦＣ通信２００の通信可能距離は、無線ＬＡＮ通信２０３の通信可能距離よりも小さい。これにより、ＭＦＰが複数存在する場合にも、データ通信を実行させたいＭＦＰの所定距離内に携帯電話１０を近接させることで、近接させたＭＦＰを通信対象のＭＦＰとして選択することができる。すなわち、ＮＦＣ通信２００を用いることで、通信を実行したいＭＦＰに携帯電話１０をかざすという直感的な操作により、通信対象のＭＦＰを特定することが可能となる。
【００５８】
例えば、ＭＦＰ５１で実行する機能としてスキャン機能が選択された場合には（Ｓ７８）、スキャナ２０で原稿をスキャンしている期間中において、スキャン処理中のデータを特定する特定情報（アイコンなど）が、ＭＦＰ５１のパネル３９に表示される（Ｓ１０１）。また例えば、ＭＦＰ５１で実行する機能として受信ファックス閲覧機能が選択された場合には（Ｓ７８）、モデム４０でデータを受信している期間中において、受信処理中のデータを特定する特定情報（アイコンなど）が、ＭＦＰ５１のパネル３９に表示される（Ｓ１０１）。また例えば、ＭＦＰ５１で実行する機能として印刷機能が選択された場合には（Ｓ７８）、プリンタ１９で印刷処理を実行している期間中において、印刷処理中のデータを特定する特定情報（アイコンなど）が、ＭＦＰ５１のパネル３９に表示される（Ｓ１０１）。そして、各種の処理中の画像データを携帯電話１０で受信することをユーザが所望する場合には、特定情報がパネル３９に表示されている期間中に、携帯電話１０をＭＦＰ５１にかざせばよい。これにより、パネル３９に表示されている特定情報に対応する対象データ（処理中の画像データ）を、携帯電話１０で受信することが可能となる。よって、直感的な操作により、ユーザが所望するデータを受信することが可能となる。
【００５９】
対象データ送信要求を携帯電話１０から受信しない場合（Ｓ１１６：ＮＯ）には、携帯電話１０のＮＦＣリーダ３０がＮＦＣタグ４６の所定距離内に近接したことが検出された時点（Ｓ１１０：ＹＥＳ）において、特定情報がＭＦＰ５１のパネル３９に表示されていない場合である。すなわち、携帯電話１０へ送信するデータが決定されていない場合である。よって、データリストを携帯電話１０へ送信することにより（Ｓ１２２）、携帯電話１０へ送信するデータを選択させる処理（Ｓ２８８）を、携帯電話１０側に実行させることができる。そして、選択データ識別情報を含んだ選択データ送信要求を、携帯電話１０から受信することに応じて（Ｓ１２３：ＹＥＳ）、選択データ識別情報により識別される選択データを、無線ＬＡＮ通信２０１および２０３を介して携帯電話１０へ送信することができる（Ｓ１２４）。これにより、特定情報がＭＦＰ５１のパネル３９に表示されていない期間中に携帯電話１０がＭＦＰ５１にかざされた場合には、通信対象のデータを、携帯電話１０側で選択させることが可能となる。
【００６０】
無線ＬＡＮ通信２０１および２０３の通信速度は、ＮＦＣ通信２００の通信速度よりも速い。また、画像データの通信は、無線ＬＡＮ通信２０１および２０３を用いて実行される（Ｓ１２４）。これにより、ＮＦＣ通信２００を用いる場合に比して、画像データの通信を高速化することができるため、画像データの通信時間を短縮化することが可能となる。
【００６１】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【００６２】
＜変形例＞
携帯電話１０が、アクセスポイント６２との間で無線ＬＡＮ通信２０１を行う場合を説明したが、この形態に限られない。携帯電話１０とアクセスポイント６２とがＬＡＮケーブル等によって接続されており、有線通信を行う形態であってもよい。この場合、携帯電話１０は、アクセスポイント６２のＳＳＩＤを通知されなくても、ＭＦＰ５１との通信を確立することができる。よって、ＮＦＣ通信２００によってＭＦＰ５１から携帯電話１０へ送信される通信設定情報（Ｓ１１２）には、少なくともＭＦＰ５１のＩＰアドレスが含まれていればよい。
【００６３】
Ｓ９６およびＳ１０１において、特定情報がＭＦＰ５１のパネル３９に表示される場合を説明した。しかし、特定情報のユーザへの報知方法は、パネル３９へ表示する方法に限られない。例えば、表示灯４５により、画像処理が実行中（Ｓ１０６：ＮＯ）である旨の特定情報を報知する形態であってもよい。
【００６４】
対象データ送信要求の受信（Ｓ１１６）や、データリスト送信要求の受信（Ｓ１１８）や、データリストの送信（Ｓ１２２）を、無線ＬＡＮ通信２０３を用いて実行する場合を説明したが、この形態に限られず、ＮＦＣ通信２００を用いて実行してもよい。
【００６５】
Ｓ８２において、選択されたＭＦＰ５１の機能に対応する選択機能情報をタグ記憶部４７に記憶させる場合を説明したが、当該ステップは省略してもよい。この場合、選択機能情報が携帯電話１０へ送信されないため、携帯電話１０側では、ＭＦＰ５１で現在選択されている機能を認識することができない。よってＳ２８４において、ＭＦＰ５１の機能を選択する画面を携帯電話１０のパネル１８に表示させ、ＭＦＰ５１の機能選択の入力を携帯電話１０側で受け付けるとしてもよい。そして、選択が受け付けられたことに応じて、選択された機能に対応するデータリストを、ＭＦＰ５１に要求する形態であってもよい。
【００６６】
Ｓ２１５において、ＮＦＣタグ４６から送信されてきた情報に、選択機能情報が含まれていない場合には、アクセスポイント６２への無線接続を実行し（Ｓ２１６）、ＭＦＰ５１との通信を確立するとしてもよい（Ｓ２１８）。そしてＳ２８４において、ＭＦＰ５１の全ての機能について、データリストを要求するとしてもよい。またＳ２８８において、ＭＦＰ５１の機能を選択する画面を携帯電話１０のパネル１８に表示させ、ＭＦＰ５１の機能選択の入力を携帯電話１０側で受け付けるとしてもよい。そして、選択が受け付けられたことに応じて、選択された機能に対応するデータリストを、パネル１８に表示させる形態であってもよい。
【００６７】
ファックス送信機能および受信ファックス閲覧機能を実行するための通信は、電話回線網１００を用いた通信に限られない。不図示のインターネット網を用いた通信を用いてもよい。
【００６８】
携帯電話１０およびＭＦＰ５１は、アクセスポイント６２を介さないアドホックモードによって、無線ＬＡＮ通信を行うことも可能である。
【００６９】
特定情報がパネル３９に表示されているデータを、「対象データ」と定義するとした。ここで、パネル３９に表示されている特定情報には、パネル３９に表示されていないが、スクロール表示によってパネル３９に表示させることが可能とされている特定情報を含んでもよい。
【００７０】
Ｓ１０６において「画像処理が完了する」とは、スキャン処理やファックス送受信処理が完了した場合に限られない。各種の処理が終了した後、ユーザによって処理終了を確認した旨の入力（例：ＯＫボタンの押下）が行われることに応じて、画像処理が完了するとしてもよい。この場合、処理終了の確認の旨が入力されるまで、特定情報がパネル３９に表示されている状態が維持される。また、各種の処理が終了した後、所定時間（例：５分）が経過することに応じて、画像処理が完了するとしてもよい。この場合、所定時間が経過するまで、特定情報がパネル３９に表示されている状態が維持される。
【００７１】
また携帯電話１０に代えて、ノートパソコンなどの通信機能を有する機器を用いることも可能である。この場合、ＭＦＰ制御アプリケーション２８は、ノートパソコンにインストールされている、各種のドライバソフトであってもよい。
【００７２】
ＮＦＣタグを備えるＭＦＰは、ＭＦＰ５１の１台に限られず、多数存在してもよい。
【００７３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００７４】
携帯電話１０は情報処理端末の一例である。ＮＦＣ通信２００は第１種通信の一例である。ＮＦＣタグ４６は第１種通信手段の一例である。無線ＬＡＮ通信２０３は第２種通信の一例である。無線送受信部３６は第２種通信手段の一例である。パネル３９は報知手段の一例である。ＭＦＰ５１は画像処理装置の一例である。
【符号の説明】
【００７５】
１：通信システム、１０：携帯電話、１１：ＣＰＵ、１２および３３：記憶部、５１：ＭＦＰ、３６：無線送受信部、３９：パネル、４６：ＮＦＣタグ、２００：ＮＦＣ通信、２０１および２０３：無線ＬＡＮ通信
【図１】
2013214808.tif 000003
【図２】
2013214808.tif 000004
【図３】
2013214808.tif 000005
【図４】
2013214808.tif 000006
【図５】
2013214808.tif 000007
【図６】
2013214808.tif 000008